(57)【特許請求の範囲】
【請求項１】
取出口が形成された容器本体と、
容器本体に揺動自在に取付けられ、取出口を密閉する開閉蓋と、
容器本体と開閉蓋との間の揺動部に設けられ、開閉蓋を開方向に向って付勢する弾性付勢手段とを備え、
開閉蓋の自由端に外方を向く係止部を有する先端リブを設けるとともに、容器本体に係止部に係合する係合部を設け、
容器本体のうち開閉蓋の自由端側に、垂直板とこの垂直板から水平方向外方へ延びる水平板とからなる作動体を設け、係合部は垂直板に内方を向いて設けられ、
垂直板に水平方向内方へ延びる押圧部材を設け、開閉蓋の裏面に押圧部材に当接して開閉蓋を押上げる押上げリブを先端リブより内方に設け、作動体の水平板を押し下げることにより、垂直板が開閉蓋から離れる方向に移動し、押圧部材が押上リブに当接して開閉蓋を押上げ、かつ垂直板の内方を向く係合部が先端リブの外方を向く係止部から離れる方向へ移動することを特徴とする開閉自在容器。
【請求項２】
垂直板の押圧部材より下方に、垂直板を撓ませるための薄肉部を水平方向に沿って設けたことを特徴とする請求項１記載の開閉自在容器。
【請求項３】
押圧部材は水平板の延長上に配置されていることを特徴とする請求項１記載の開閉自在容器。
【発明の詳細な説明】
【０００１】
【発明の属する技術分野】
本発明は、容易に開閉することができる開閉自在容器に関する。
【０００２】
【従来の技術】
内容物、例えばウェットティッシュを内部に収納する容器は、ウェットティッシュの取出口を有するとともに、この取出口は開閉蓋により開閉自在に密閉される。
【０００３】
すなわち、このような容器はウェットティッシュを収納するとともに取出口を有する容器本体と、取出口を密閉する開閉蓋とを備えている。
【０００４】
使用に際しては、容器本体の取出口に対して開閉蓋が開かれ、容器本体の取出口からウェットティッシュが一枚ずつ取出される。
【０００５】
【発明が解決しようとする課題】
上述のように、従来の容器は容器本体と、この容器本体に対して揺動自在に取付けられた開閉蓋とを備えており、使用に際しては開閉蓋をいちいち揺動させて開いている。
【０００６】
このような場合、開閉蓋を確実にワンタッチで開くことができれば都合が良い。
【０００７】
本発明はこのような点を考慮してなされたものであり、容易かつ確実に開閉蓋を開くことができる開閉自在容器を提供することを目的とする。
【０００８】
【課題を解決するための手段】
本発明は、取出口が形成された容器本体と、容器本体に揺動自在に取付けられ、取出口を密閉する開閉蓋と、容器本体と開閉蓋との間の揺動部に設けられ、開閉蓋を開方向に向って付勢する弾性付勢手段とを備え、開閉蓋の自由端に係止部を設けるとともに、容器本体に係止部に係合する係合部を設け、容器本体のうち開閉蓋の自由端側に、垂直板とこの垂直板から水平方向外方へ延びる水平板とからなる作動体を設け、垂直板に水平方向内方へ延びる押圧部材を設け、開閉蓋の裏面に押圧部材に当接して開閉蓋を押上げる押上げリブを設けたことを特徴とする開閉自在容器である。
【０００９】
本発明によれば、作動体の水平板を下方へ押圧することにより作動体が撓む。このとき垂直板に設けられた押圧部材が押上リブに当接して開閉蓋を押上げる。このことにより、開閉蓋の係止部と、容器本体の係合部との係合が解除して開閉蓋が弾性付勢手段によって開かれる。
【００１０】
【発明の実施の形態】
以下、図面を参照して本発明の実施の形態について説明する。図１乃至図４は本発明による開閉自在容器の一実施の形態を示す図である。
【００１１】
図１乃至図４に示すように、開閉自在容器１０は、内部にウェットティッシュ４１（図４参照）を収納する下方開口型の容器本体１１と、容器本体１１の下方開口を密閉する底蓋１２とを備えている。また容器本体１１は取出口２４が形成された上板２７と、上板２７から下方へ延びる側板１３とを有し、容器本体１１の側板１３には上板２７の取出口２４を密閉する開閉蓋２３が揺動自在に取付けられている。
【００１２】
また容器本体１１の上板２７はその略中央部の第１上板（第１薄板）２７ａと、第１上板２７ａの外側に段部２８を介して設けられ、第１上板２７ａより高い位置にある第２上板（第２薄板）２７ｂとからなっている。また第１上板２７ａには、ウェットティッシュ４１を取出すための取出口２４が設けられ、取出口２４の周縁に周縁部２４ａが設けられるとともに、この周縁部２４ａは、下方部において曲線状の断面を有している。このためウェットティッシュ４１が取出口２４の周縁部２４ａを通過する際、周縁部２４ａに引掛ることなくスムースに通過することができる。また第１上板２７ａには、取出口２４を囲んで外リブ５１と内リブ５２とが円周状に設けられている。
【００１３】
一方、第１上板２７ａには係合リブ５１が設けられ、開閉蓋２３の内面には、第１上板２７ａの係合リブ５１に係合する枠体３７が設けられている。そして、開閉蓋２３を揺動し、係合リブ５１に枠体３７を嵌込むことによって、開閉蓋２３が取出口２４を密閉するようになっている。
【００１４】
さらに図１に示すように、開閉蓋２３の自由端には先端リブ３６が突設され、この先端リブ３６に係止片３２が設けられている。
【００１５】
また、図１乃至図３に示すように、容器本体１１のうち開閉蓋２３の自由端側であって側板１３上端近傍に、上板２７から落込む落込段部５８が形成され、この落込段部５８内に垂直板５５ａが設けられている。垂直板５５ａには水平方向に延びる薄肉部５９が形成され、さらに垂直板５５ａには水平方向外方へ延びる水平板５５ｂが取付けられている。また垂直板５５ａの内面に、開閉蓋２３の係止片３２に係合する係合突起３３が設けられ、垂直板５５ａと水平板５５ｂとによって、開閉蓋２３を開とする作動体５５が構成されている。
【００１６】
次に作動体５５について、図２および図３により更に詳述する。図２および図３に示すように、垂直板５５ａに水平方向内方に延びる押圧部材５７が設けられている。図２および図３において、押圧部材５７は水平板５５ｂより下方に配置されているが、押圧部材５７を水平板５５ｂの延長上に配置してもよい。
【００１７】
また開閉蓋２３の裏面には、押圧部材５７に当接して開閉蓋２３を押上げる押上げリブ６０が設けられている。すなわち、作動体５５の水平板５５ｂを下方へ押し下げ作動体５５を薄肉部５９を中心として揺動させることにより、押圧部材５７が押上げリブ６０に当接して開閉蓋２３を押上げて、開閉蓋２３の係合片３２と垂直板５５ａの係合突起３３との係合を解除させるようになっている。
【００１８】
なお、作動体５５を薄肉部５９を中心として揺動させる際、垂直板５５ａが開閉蓋２３から離れる方向へ移動するので、開閉蓋２３の係止片３２と垂直板５５ａの係合突起３３の係合を容易に解除させることができる。
【００１９】
また、図２および図３に示すように、作動体５５の水平板５５ｂ先端には、上方へ突出する指掛け突部５６が設けられ、この指掛け突部５６に指を掛けることにより水平板５５ｂを確実に押し下げることができる。
【００２０】
なお、開閉蓋２３の係止片３２と係合する係合突起３３は、必ずしも垂直板５５ａに設ける必要はなく、容器本体１１の他の部分に係合突起３３を設け、押圧部材５７が押上げリブ６０を介して開閉蓋２３を押上げる際、係止片３２と係合突起３３との係合を解除してもよい。
【００２１】
また図示しない他の解除手段により係止片３２と係合突起３３との係合を解除してもよい。
【００２２】
また図１に示すように、容器本体１１と開閉蓋２３との間に、開閉蓋２３を開方向に向って付勢する細長状の板ゴム５０が設けられている。すなわち、容器本体１１には、板ゴム５０の一端を差込み収納する収納部７５が設けられ、また開閉蓋２３には容器本体１１から所定間隔をおいて配置されるとともに板ゴム５０の他端を固着する固着部７６が設けられている。この場合、板ゴム５０に開閉蓋２３から突出する突起７８が挿入されて板ゴム５０の位置決めが行われ、その後板ゴム５０が固着部７６によって固定される。
【００２３】
また図１に示すように、板ゴム５０は容器本体１１と開閉蓋２３との間の中心に対して右側へずれて配置されているが、板ゴム５０の取付位置は任意に定めることができる。
【００２４】
なお、上述した容器本体１１および開閉蓋２３は、いずれもポリプロピレン（ＰＰ）を用いたインジェクション成形により得られるが、この他にＰＥ、ＰＳ、ＡＢＳ、エラストマー、ＰＥＴ、ＰＶＣ、ポリカーボネートを用いて成形してもよい。また底蓋１２は鎖状低密度ポリエチレン（ＬＬＤＰＥ）により成形される。
【００２５】
次に図４により、容器本体１１内に収納されるウェットティッシュ４１について説明する。図４（ａ）に示すように、ウェットティッシュ４１は柔軟なシートからなる密閉袋４０内で折畳まれて積層配置され、この密閉袋４０によって密閉される。各ウェットティッシュ４１は折曲部４２を形成して略二つ折りされ、各ウェットティッシュ４１の折曲部４２は交互に入れ替わっている。またウェットティッシュ４１の二つ折りされた下半分４１ｂは、下方に配置するウェットティッシュ４１の上半分４１ａと更に下方に位置するウェットティッシュ４１の上半分４１ａとの間に挿入されている。このためウェットティッシュ４１を一枚ずつ摘んで取出した場合、取出したウェットティッシュ４１の下半分４１ｂが、下方に位置するウェットティッシュ４１の上半分４１ａを引張り上げるようになっている。なお、ウェットティッシュ４１の折り方は、連続的に取り出すことができるように積層配置されていればよく、特に限定されるものではなく、例えば図４（ｂ）のような折り方であってもよい。また密閉袋４０の上端に開口４０ａが設けられ、この開口４０ａは密閉袋４０上面に取外自在に貼付けられた蓋片４５により密閉されている。
【００２６】
ウェットティッシュ４１の素材としては、例えば、不織布、紙、ガーゼ等の繊維素材やシート状の発泡体、または紙ベースの軟質材料が用いられる。またウェットティッシュに含浸させる液体としては、殺菌剤、消毒剤、洗浄剤等を含んだ湿潤剤や化粧水や乳液等の化粧品が考えられる。
【００２７】
次にこのような構成からなる本実施の形態の作用について説明する。
まず、板ゴム５０の一端が蓋本体２１の収納部７５内に差込み収納されるが、板ゴム５０の他端は予め開閉蓋２３の所定位置に突起７８により位置決めされた後固着部７６により固着されている。
【００２８】
次に容器本体１１内にその下方開口から、密閉袋４０によって密閉されたウェットティッシュ４１が収納される。その後、容器本体１１の下方開口が底蓋１２により密閉される。
【００２９】
次に開閉蓋２３が容器本体１１に対して閉方向へ移動し、開閉蓋２３の係止片３２に容器本体１１の係合突起３３が係合して、容器本体１１の取出口２４が開閉蓋２３により密閉される。このとき、開閉蓋２３の枠体３７が容器本体１１の係合リブ５１に係合して、枠体３７内を密閉状態に維持する。
【００３０】
また図１に示すように、板ゴム５０は容器本体１１から所定間隔をおいて配置された固着部７６により固着されているので、板ゴム５０は開閉蓋２３のうち揺動軸から少し内側に入った固着部７６を作用点として開閉蓋２３を上方へ持ち上げる。一般にウェットティッシュ容器１０は夏場の室内等、比較的高温室内で用いられるため、容器本体１１および開閉蓋２３は軟化しやすくなっている。本願発明によれば、板ゴム５０が開閉蓋２３のうち揺動軸から少し内側に入った作用点を上方に持ち上げるので、揺動軸近傍を作用点とする場合に比べて開閉蓋２３の揺動端の変形を防止することができる。
【００３１】
ウェットティッシュ４１の使用時には、水平板５５ｂの指掛け突部５６に指を掛けて下方へ押圧し、作動体５５を薄肉部５９を中心として揺動させる。このとき垂直板５５ａの押圧部材５７が押上リブ６０に当接して開閉蓋２３を押上げる。このことにより、開閉蓋２３の係止片３２と垂直板５５ａの係合突起３３との係合を解除することができる。
【００３２】
その後板ゴム５０の復元力により、開閉蓋２３は揺動軸を中心として回動し、開閉蓋２３が開となる。
【００３３】
次に容器本体１１の取出口２４からウェットティッシュ４１を指で摘んで上方へ引張る。その後、連続して、ウェットティッシュ４１を引張ることにより、第１番目のウェットティッシュ４１を容器本体１１内から取出すことができる。この場合、第２番目のウェットティッシュ４１の上半分４１ａが、第１番目のウェットティッシュ４１の下半分４１ｂによって引張られる。そして、第２番目のウェットティッシュ４１の上半分４１ａが、取出口２４の周縁部２４ａに引掛かった時点で、第２番目のウェットティッシュ４１が停止する。
【００３４】
以上のように本実施の形態によれば、水平板４４ｂの指掛け突部５６を下方へ押圧することにより、作動体５５を薄肉部５９を中心として揺動させることができる。このとき垂直板５５ａの押圧部材５７により、押上リブ６０を介して開閉蓋２３を押上げる。同時に係合突起３３と係止片３２との係合を解除して、板ゴム５０の復元力により開閉蓋２３を確実に開くことができる。
【００３５】
【発明の効果】
以上のように本発明によれば、作動体を撓ませることにより、垂直板に設けられた押圧部材が押上リブに当接して開閉蓋を押上げる。このことにより開閉蓋の係止と容器本体の係合部との係合を解除することができ、開閉蓋を弾性手段により確実に開くことができる。
【図面の簡単な説明】
【図１】本発明による開閉自在容器の全体斜視図。
【図２】作動体を示す詳細図。
【図３】作動体を示す詳細図。
【図４】ウェットティッシュを収納した密閉袋を示す側断面図。
【符号の説明】
１０  開閉自在容器
１１  容器本体
１２  底蓋
１３  側板
２３  開閉蓋
２４  取出口
２７  上板
２８  段部
３２  係止片
３３  係合突起
３７  枠体
４０  密閉袋
４１  ウェットティッシュ
５０  板ゴム
５１  係合リブ
５５  作動体
５５ａ  垂直板
５５ｂ  水平板
５６  指掛け突部
５７  押圧部材
６０  押上リブ
【図１】
0004377461.tif 000002
【図２】
0004377461.tif 000003
【図３】
0004377461.tif 000004
【図４】
0004377461.tif 000005